(57)【要約】【課題】広告に興味のある消費者に選択的に詳細な情報を配信する。【解決手段】広告配信システム２０は、通信機能を有する携帯型のユーザ端末１０を保持するユーザに広告を配信する。滞在検出部２４は、街頭に設置されたポスタ等の広告媒体を閲覧可能な閲覧可能エリアにユーザが滞在していることを検出する。滞在目的判断部２６は、滞在検出部２４がユーザの滞在を検出したときに、そのユーザが、広告媒体を閲覧するためにその閲覧可能エリアに滞在しているのか、他の目的のために当該閲覧可能エリアに滞在しているのかを判断する。配信処理部２８は、滞在目的判断部２６が、ユーザが広告媒体を閲覧するために閲覧可能エリアに滞在していると判断したときに、ユーザに広告媒体に関する詳細な情報を配信する。【選択図】        図２
2004287296.tif 000002
【特許請求の範囲】
【請求項１】
通信機能を有する携帯端末を保持するユーザに広告を配信する広告配信システムであって、
街頭に設置された広告媒体を閲覧可能な閲覧可能エリアにユーザが滞在していることを検出する滞在検出部と、
前記滞在検出部が、前記ユーザの滞在を検出したときに、前記ユーザに前記広告媒体に関する詳細な情報を配信する配信処理部と、
を含むことを特徴とする広告配信システム。
【請求項２】
請求項１に記載の広告配信システムにおいて、
前記滞在検出部が、前記ユーザの滞在を検出したときに、そのユーザが、前記広告媒体を閲覧するために前記閲覧可能エリアに滞在しているのか、他の目的のために当該閲覧可能エリアに滞在しているのか判断する滞在目的判断部をさらに含み、
前記配信処理部は、前記滞在目的判断部が、前記ユーザが前記広告媒体を閲覧するために前記閲覧可能エリアに滞在していると判断したときに、前記ユーザに前記広告媒体に関する詳細な情報を配信することを特徴とする広告配信システム。
【請求項３】
請求項１または２に記載の広告配信システムにおいて、
ユーザの位置情報を取得する位置情報取得部をさらに含み、
前記滞在検出部は、前記ユーザの位置情報に基づき、前記ユーザが前記エリアに一定時間以上いる場合に、当該ユーザが前記エリアに滞在していると判断することを特徴とする広告配信システム。
【請求項４】
請求項１乃至３いずれかに記載の広告配信システムにおいて、
前記滞在目的判断部は、前記閲覧可能エリア内に前記他の目的のためにユーザが滞在する他目的用エリアが含まれるか否かを検出し、
前記閲覧可能エリアに前記他目的用エリアが含まれる場合、前記他の目的を達成するタイミングを検出し、当該タイミングの後にも前記ユーザが前記閲覧可能エリア内に滞在している場合に、前記ユーザが前記広告媒体を閲覧するために前記閲覧可能エリアに滞在していると判断することを特徴とする広告配信システム。
【請求項５】
請求項１乃至４いずれかに記載の広告配信システムにおいて、
前記閲覧可能エリアは、前記広告媒体の種類、大きさ、または設置位置に応じた大きさに設定されたことを特徴とする広告配信システム。
【請求項６】
請求項１乃至５いずれかに記載の広告配信システムにおいて、
ユーザの特性を記憶するユーザ情報記憶部と、
前記広告媒体に関する詳細な情報を配信する対象者の特性を記憶する広告管理情報記憶部と、
をさらに含み、
前記配信処理部は、前記ユーザ情報記憶部および前記広告管理情報記憶部を参照して、前記ユーザの特性が前記対象者の特性に合致する場合に、当該ユーザに前記詳細な情報を配信することを特徴とする広告配信システム。
【請求項７】
請求項１乃至６いずれかに記載の広告配信システムにおいて、
前記詳細な情報の前記ユーザへの配信記録を記憶する配信記録記憶部をさらに含み、
前記配信処理部は、同一の前記広告媒体に関する詳細な情報を過去に配信したことがあるユーザには、過去の配信時から一定時間が経過した後に前記詳細な情報を送信することを特徴とする広告配信システム。
【請求項８】
請求項１乃至７いずれかに記載の広告配信システムにおいて、
前記広告媒体が設置された位置を含む周辺の地図情報を記憶する地図情報記憶部と、
前記ユーザを前記閲覧可能エリアに誘導するために、前記閲覧可能エリア周辺の領域にいる前記ユーザを検出する誘導対象者検出部と、
をさらに含み、
前記配信処理部は、前記誘導対象者検出部が、前記ユーザが前記領域内にいることを検出すると、当該ユーザに当該ユーザがいる位置および前記広告媒体が設置された位置を含む地図情報を配信することを特徴とする広告配信システム。
【発明の詳細な説明】
【０００１】
【発明の属する技術分野】
本発明は、広告配信システムに関する。
【０００２】
【従来の技術】
路上、街角、店頭等には看板やポスタなどの広告媒体が設置されている。このような広告媒体は、有名人をモデルとして用いたり、キャッチコピーを工夫する等して、通りすがりの人々の目を引くようにデザインされている。しかし、広告媒体が消費者の目に留まり、その広告媒体を見ている間は、その広告の詳細な情報を知りたいと思っても、広告媒体から離れてしまうと、その興味が薄れてしまう可能性が高い。
【０００３】
従来、携帯通信装置を保持するユーザが所定のエリア内にいるときに、そのユーザの携帯通信装置に割引クーポン等の広告情報を送信する技術が知られている（特許文献１）。ここでは、会員データベースにユーザ毎に希望品や広告を見たいエリアを設定しておき、これらの設定に応じて、ユーザが広告を見たいエリアにいることが検出された場合に、希望品に関する広告宣伝情報が送信されるようになっている。
【特許文献１】
特開２００２−２５９８２１号公報
【０００４】
【発明が解決しようとする課題】
しかし、上記の従来の方法では、ユーザは予め広告を見たいエリアや希望品を設定しておく必要があり、実際に街頭に出てから興味を持った商品に関する情報を取得するようにはなっていなかった。
【０００５】
本発明は上記課題に鑑みてなされたものであり、その目的は、街頭に設置された広告媒体に興味を持った消費者にその広告に関する詳細な情報を配信する技術の提供にある。
【０００６】
【課題を解決するための手段】
本発明によれば、通信機能を有する携帯端末を保持するユーザに広告を配信する広告配信システムであって、街頭に設置された広告媒体を閲覧可能な閲覧可能エリアにユーザが滞在していることを検出する滞在検出部と、滞在検出部が、ユーザの滞在を検出したときに、ユーザに広告媒体に関する詳細な情報を配信する配信処理部と、を含むことを特徴とする広告配信システムが提供される。
【０００７】
このようにすれば、街頭に設置された広告媒体に興味を持っている可能性の高いユーザに選択的に詳細な情報を配信することができるので、ユーザの利便性を高めることができるとともに、効率よく広告の宣伝効果を高めることができる。
【０００８】
本発明の広告配信システムは、滞在検出部が、ユーザの滞在を検出したときに、そのユーザが、広告媒体を閲覧するために閲覧可能エリアに滞在しているのか、他の目的のために当該閲覧可能エリアに滞在しているのか判断する滞在目的判断部をさらに含むことができ、配信処理部は、滞在目的判断部が、ユーザが広告媒体を閲覧するために閲覧可能エリアに滞在していると判断したときに、ユーザに広告媒体に関する詳細な情報を配信することができる。
【０００９】
このようにすれば、閲覧可能エリアに滞在しているユーザの中でも、広告媒体を閲覧している可能性の高いユーザに選択的にその広告媒体の詳細な情報を配信することができるので、ユーザの利便性を高めることができるとともに、効率よく広告の宣伝効果を高めることができる。また、他の目的のために閲覧可能エリアに滞在しているユーザには詳細な情報は配信されないので、ユーザが興味のない情報を受け取って面倒な思いをすることもなくなる。
【００１０】
本発明の広告配信システムは、ユーザの位置情報を取得する位置情報取得部をさらに含むことができ、滞在検出部は、ユーザの位置情報に基づき、ユーザがエリアに一定時間以上いる場合に、当該ユーザがエリアに滞在していると判断することができる。
【００１１】
このようにすれば、単に閲覧可能エリアを通過するだけでなく、広告媒体に興味を持って、広告媒体の前で立ち止まって広告媒体を見ているユーザに選択的に詳細な情報を配信することができるので、広告の宣伝効果を高めることができる。
【００１２】
本発明の広告配信システムにおいて、滞在目的判断部は、閲覧可能エリア内に他の目的のためにユーザが滞在する他目的用エリアが含まれるか否かを検出することができ、閲覧可能エリアに他目的用エリアが含まれる場合、他の目的を達成するタイミングを検出し、当該タイミングの後にもユーザが閲覧可能エリア内に滞在している場合に、ユーザが広告媒体を閲覧するために閲覧可能エリアに滞在していると判断することができる。
【００１３】
ここで、他の目的とは、たとえば信号待ちや、バス停や電車のホームでバスや電車を待つことである。
【００１４】
本発明の広告配信システムにおいて、閲覧可能エリアは、広告媒体の種類、大きさ、または設置位置に応じた大きさに設定されてよい。
【００１５】
本発明の広告配信システムは、ユーザの特性を記憶するユーザ情報記憶部と、広告媒体に関する詳細な情報を配信する対象者の特性を記憶する広告管理情報記憶部と、をさらに含むことができ、配信処理部は、ユーザ情報記憶部および広告管理情報記憶部を参照して、ユーザの特性が対象者の特性に合致する場合に、当該ユーザに詳細な情報を配信することができる。
【００１６】
これにより、広告媒体の提供者がターゲットとする対象者のみに選択的に詳細な情報を配信することができ、広告の宣伝効果を高めることができる。
【００１７】
本発明の広告配信システムは、詳細な情報のユーザへの配信記録を記憶する配信記録記憶部をさらに含むことができ、配信処理部は、同一の広告媒体に関する詳細な情報を過去に配信したことがあるユーザには、過去の配信時から一定時間が経過した後に詳細な情報を送信することができる。
【００１８】
これにより、ユーザに同じ内容の詳細情報が何度も配信されて、ユーザが面倒な思いをするようなことを防ぐことができる。
【００１９】
本発明の広告配信システムは、広告媒体が設置された位置を含む周辺の地図情報を記憶する地図情報記憶部と、ユーザを閲覧可能エリアに誘導するために、閲覧可能エリア周辺の領域にいるユーザを検出する誘導対象者検出部と、をさらに含むことができ、配信処理部は、誘導対象者検出部が、ユーザが領域内にいることを検出すると、当該ユーザに当該ユーザがいる位置および広告媒体が設置された位置を含む地図情報を配信することができる。
【００２０】
これにより、広告媒体の詳細な情報を配信する対象のユーザを増やすことができ、広告の宣伝効果を高めることができる。
【００２１】
なお、以上の構成要素の任意の組合せ、本発明の表現を方法、装置、システム、記録媒体、コンピュータプログラムなどの間で変換したものもまた、本発明の態様として有効である。
【００２２】
【発明の実施の形態】
図１は、本発明の実施の形態におけるユーザ端末１０および広告配信システム２０の関係を示す図である。
【００２３】
ユーザ端末１０は、携帯電話やＰＤＡ等、通信機能を有し、広告配信システム２０から配信される各種情報を提示可能な携帯端末である。広告媒体１４は、街頭に設置されたポスタ、看板、電光掲示板等である。
【００２４】
広告配信システム２０において、データベース２９は、ユーザＩＤ、ユーザ特性、ユーザのメールアドレス等のユーザ情報と、エリア情報、詳細情報等のポスタ情報を記憶する。サーバ２１は、ユーザ端末１０からユーザＩＤと共にユーザ１２の位置情報を取得する。サーバ２１は、ユーザ１２が広告媒体１４を見ていることを検出し、ユーザＩＤに基づき、ユーザ１２のメールアドレスに該当する広告媒体に関する詳細な情報を送信する。ここで、サーバ２１とデータベース２９はインターネット５０を介して接続されているが、これらは一体に構成されてもよい。
【００２５】
（第一の実施の形態）
図２は、本発明の第一の実施の形態における広告配信システム２０の内部構成を示すブロック図である。サーバ２１は、位置情報取得部２２、滞在検出部２４、滞在目的判断部２６、および配信処理部２８を有する。データベース２９は、ユーザ位置情報記憶部３０、エリア情報記憶部３２、他目的情報記憶部３４、ユーザ情報記憶部３６、広告管理情報記憶部３８、詳細情報記憶部４０、配信記録記憶部４２を含む。
【００２６】
広告配信システム２０の各構成要素は、ハードウエアコンポーネントで言えば、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心に実現されるが、その実現方法、装置にはいろいろな変形例があることは、当業者には理解されるところである。これから説明する各図は、ハードウエア単位の構成ではなく、機能単位のブロックを示している。
【００２７】
位置情報取得部２２は、ユーザ端末１０を保持するユーザの位置情報を取得する。ユーザの位置情報は、たとえば、ユーザが保持するユーザ端末１０の電波受信状態により、携帯電話網の基地局の位置検出機能を用いて取得することができる。また、ユーザがＧＰＳ機能付きのユーザ端末１０を保持している場合、ＧＰＳ測位機能を用いて取得することもできる。さらに、広告配信システム２０を利用するユーザにＩＣタグを付与するとともに、広告媒体付近にタグ検出器を設置しておき、タグ検出器によりユーザの位置情報を取得することもできる。ユーザ位置情報記憶部３０は、ユーザの位置情報を記憶する。
【００２８】
エリア情報記憶部３２は、広告媒体毎に、その広告媒体を見ることが可能なエリア（以下、単に「閲覧可能エリア」という）に関する情報を記憶する。閲覧可能エリアの大きさは、広告媒体の種類や大きさ、広告媒体が設置される位置に応じて適宜設定される。たとえば、広告媒体が電光掲示板であって、ビルの屋上に設置されているような場合、その広告媒体を見ることができる範囲はある程度大きいため、閲覧可能エリアも大きく設定される。
【００２９】
滞在検出部２４は、ユーザ位置情報記憶部３０およびエリア情報記憶部３２を参照して、ユーザの位置情報に基づき、そのユーザがいずれかの広告媒体の閲覧可能エリアにいるか否かを検出する。ユーザが閲覧可能エリアにいる場合、滞在検出部２４は、ユーザ位置情報記憶部３０を参照して、ユーザがその閲覧可能エリアにいる時間を算出する。ユーザが所定時間以上その閲覧可能エリアにいる場合、滞在検出部２４は、ユーザが閲覧可能エリアに滞在していると判断する。
【００３０】
滞在目的判断部２６は、閲覧可能エリアに滞在しているユーザが広告媒体を見ているためにその閲覧可能エリアに滞在しているのか、他の目的があってその閲覧可能エリアに滞在しているのかを判断する。本実施の形態において、滞在目的判断部２６は、ユーザがある閲覧可能エリアに滞在している時間が他の目的を達成するのに必要とされる時間以上となった場合に、ユーザが広告媒体を見ていると判断する。
【００３１】
他目的情報記憶部３４は、ユーザがある位置に一定時間以上滞在する可能性がある他の目的に関する情報を記憶する。他の目的とは、たとえば信号待ちや、バス停や電車のホームでバスや電車を待つことである。他目的情報記憶部３４は他の目的のためにユーザが滞在する他目的用エリアおよびその目的を達成するのに必要とされる必要時間を記憶する。
【００３２】
滞在目的判断部２６は、エリア情報記憶部３２および他目的情報記憶部３４を参照して、その閲覧可能エリアに他目的用エリアが含まれるか否かを判断する。他目的用エリアが含まれない場合、滞在目的判断部２６は、ユーザが広告媒体を見ているためにその閲覧可能エリアに滞在していると判断する。一方、その広告配信エリアに他目的用エリアが含まれる場合、滞在目的判断部２６は、ユーザが閲覧可能エリアに滞在している時間を検出し、ユーザが必要時間以上その閲覧可能エリアに滞在している場合、ユーザが広告媒体を見るためにその広告配信エリアに滞在していると判断する。
【００３３】
ユーザ情報記憶部３６は、ユーザ毎に、ユーザＩＤ、ユーザのメールアドレス、およびユーザの特性を示す情報を記憶する。
【００３４】
広告管理情報記憶部３８は、広告毎に、広告配信対象のユーザの特性を示す情報を記憶する。詳細情報記憶部４０は、広告毎に、実際にユーザに送信する詳細情報を記憶する。
【００３５】
配信処理部２８は、ユーザ情報記憶部３６を参照してユーザＩＤに基づきユーザの特性を読み出し、広告管理情報記憶部３８を参照して、そのユーザが広告の詳細情報の配信対象者か否かを検出する。ユーザが配信対象者の場合、配信処理部２８は、詳細情報記憶部４０から該当する詳細情報を読み出し、その詳細情報を、ユーザのメールアドレスに配信する。
【００３６】
配信記録記憶部４２は、配信処理部２８のユーザへの詳細情報の配信記録を記憶する。配信処理部２８は、ユーザに詳細情報を配信する前に配信記録記憶部４２を参照し、同一の広告の詳細情報を過去にそのユーザに配信したことがある場合は、過去の配信時から一定時間が経過しているか否かを検出する。配信処理部２８は、過去の配信時から一定時間以上経過していた場合には、ユーザに詳細情報を送信するが、一定時間以上経過していない場合、そのユーザにはその詳細情報を配信しない。
【００３７】
図３は、ユーザ位置情報記憶部３０のデータ構造の一例を示す図である。ユーザ位置情報記憶部３０は、ユーザＩＤ欄、位置（ｘ，ｙ）欄、および時間欄を含む。ユーザＩＤ欄は、ユーザのユーザ端末１０を識別するユーザＩＤを保持する。位置（ｘ，ｙ）欄は、ユーザの位置情報を保持し、時間欄は、位置（ｘ，ｙ）欄に記憶された位置情報を取得した時間を保持する。位置情報取得部２２は、たとえば所定時間毎にユーザの位置情報を取得することができ、ユーザ位置情報記憶部３０は、ユーザＩＤに対応付けて、これらの位置情報を取得した時間と共に記憶する。位置情報取得部２２は、ユーザがたとえばビル内にいるような場合、ユーザのいる位置の高さに関する情報を取得することもできる。
【００３８】
図４は、エリア情報記憶部３２のデータ構造の一例を示す図である。ここでは、広告媒体がポスタである場合を例として説明する。エリア情報記憶部３２は、各ポスタを識別するポスタＩＤ欄、始点位置（ｘ，ｙ）欄、終点位置（ｘ，ｙ）欄を含む。各ポスタのエリアは、始点位置および終点位置をそれぞれ通るｘ軸およびｙ軸で囲まれた範囲である。また、ここではｘ、ｙ座標のみが記載されているが、エリア情報記憶部３２は各広告媒体が設置される高さに関する情報を記憶することもできる。
【００３９】
図５は、他目的情報記憶部３４のデータ構造の一例を示す図である。他目的欄は、ユーザが何らかの理由である場所に一定期間止まり続けるであろう対象物名を保持する。始点位置（ｘ，ｙ）欄は、他目的を果たすためにユーザが滞在する可能性のあるエリアの始点位置情報を保持する。終点位置（ｘ，ｙ）欄は、上記エリアの終点位置情報を保持する。他目的を果たすためにユーザが滞在する可能性のあるエリアは、始点位置および終点位置をそれぞれ通るｘ軸およびｙ軸で囲まれた範囲である。必要時間欄は、他目的を果たすためにユーザが必要とする時間を保持する。たとえば、ここでは、他目的欄に「信号１」、「信号２」・・・「プラットホーム１」、「プラットホーム２」が記憶されている。「信号１」の必要時間は「６０秒」とされている。つまり、信号１は６０秒間隔で信号が変わり、信号１で信号待ちをしているユーザは長くても６０秒このエリアに滞在する。また、「プラットホーム１」の必要時間は「３分」とされている。プラットホーム１では３分おきに電車が来るため、プラットホームで電車が来るのを待っているユーザは長くても３分間このエリアに滞在する。
【００４０】
図６は、ユーザ情報記憶部３６のデータ構造の一例を示す図である。ユーザＩＤ欄は、広告配信システム２０のサービスを利用するユーザを識別するためのユーザＩＤを保持する。ここでは、ユーザの特性を示す情報として、性別欄と年齢欄が設けられている。メールアドレス欄は、ユーザが保持するユーザ端末のメールアドレスを保持する。たとえば、ユーザＩＤ「１」のユーザは男性で、２５歳、メールアドレスが「ｔａｒｏ＠ｓａｎｓａｎ．ｃｐ．ｊｐ」である。
【００４１】
図７は、広告管理情報記憶部３８のデータ構造の一例を示す図である。ポスタＩＤ欄は、各ポスタを識別し、エリア情報記憶部３２のポスタＩＤ欄に対応する。対象性別欄および対象年齢欄は、このポスタの広告に関する詳細情報を配信する対象のユーザの性別および年齢を保持する。たとえば、ポスタＩＤ「１」の広告に関する詳細情報は、２０代の男性をターゲットとして配信される。
【００４２】
図８は、詳細情報記憶部４０のデータ構造の一例を示す図である。各広告媒体の詳細情報は、ポスタＩＤに対応付けられている。
【００４３】
図９は、ユーザに送信される詳細情報を示す図である。詳細情報は、ユーザが見ている広告媒体の位置からその広告媒体で宣伝している商品を購入可能な店舗までの地図を含むことができる。これにより、広告媒体を見て広告に興味をもったユーザは、すぐにその広告に関する商品を購入するための知識を得ることができるので、広告の宣伝効果を高めることができるとともに、ユーザの利便性も高めることができる。
【００４４】
図１０は、本実施の形態における広告配信システム２０の処理手順を示すフローチャートである。
位置情報取得部２２は、ユーザが保持するユーザ端末からユーザの位置情報を取得する。滞在検出部２４は、位置情報取得部２２が取得した位置情報に基づき、エリア情報記憶部３２を参照してユーザが閲覧可能エリアに滞在しているか否かを検出する（Ｓ１０）。ユーザがある閲覧可能エリアに滞在している場合（Ｓ１０のＹｅｓ）、滞在目的判断部２６は、その閲覧可能エリアに他目的用エリアが含まれるか否かを検出する（Ｓ１２）。他目的用エリアがある場合（Ｓ１２のＹｅｓ）、滞在目的判断部２６は、他目的用の必要時間が経過したか否かを判断する（Ｓ１４）。他目的用の必要時間が経過した場合（Ｓ１４のＹｅｓ）、滞在目的判断部２６は、ユーザが閲覧可能エリアにまだ滞在しているか否かを検出する（Ｓ１６）。ユーザが閲覧可能エリアに滞在している場合（Ｓ１６のＹｅｓ）、滞在目的判断部２６は、ユーザが広告媒体を見るためにその閲覧可能エリアに滞在していると判断する。つづいて、配信処理部２８は、このユーザが広告の詳細情報の配信対象者か否かを判断する（Ｓ１８）。ステップ１２において閲覧可能エリアに他目的用エリアがない場合（Ｓ１２のＮｏ）もステップ１８に進み、配信処理部２８は、このユーザが広告の詳細情報の配信対象者か否かを判断する。
【００４５】
ユーザが配信対象者の場合（Ｓ１８のＹｅｓ）、配信処理部２８は、配信記録記憶部４２を参照して、そのユーザに過去に同じ広告の詳細情報を送信したことがあるか否かを検出する（Ｓ２０）。ユーザに同じ広告の詳細情報を送信していた場合（Ｓ２０のＹｅｓ）、配信処理部２８は、その配信の時から一定時間経過したか否かを判断する（Ｓ２２）。ステップ２２において、一定時間経過している場合（Ｓ２２のＹｅｓ）、またはステップ２０において、ユーザに同じ広告の詳細情報を送信していないと検出された場合（Ｓ２０のＮｏ）、配信処理部２８は詳細情報記憶部４０から該当する広告の詳細情報を読み出し、このユーザの端末に詳細情報を送信する（Ｓ２４）。配信記録記憶部４２は、ユーザへの詳細情報の配信記録を記憶する（Ｓ２６）。
【００４６】
ステップ１０においてユーザがエリア内に滞在していない場合（Ｓ１０のＮｏ）、ステップ１６においてユーザがエリア内に滞在していない場合（Ｓ１６のＮｏ）、ステップ１８において、ユーザが配信対象者でない場合（Ｓ１８のＮｏ）、ステップ２２において一定時間が経過していない場合（Ｓ２２のＮｏ）、ステップ１０に戻り、ユーザがいずれかの広告媒体の閲覧可能エリアに滞在するまで待機する。
【００４７】
本実施の形態における広告配信システム２０によれば、ユーザ端末１０を保持するユーザが街頭に設置されたポスタ等の広告媒体に興味を持って広告媒体を閲覧することにより、その広告に関する詳細な情報を受動的に受け取ることができ、ユーザの利便性を高めることができる。また、広告に興味がなく、他の目的で広告媒体の近くにいるだけのユーザには広告の詳細な情報は配信されないため、ユーザは、興味のない広告の詳細な情報を受け取るという煩雑な思いをすることもなくなる。広告に興味を持ったユーザをターゲットとして詳細な情報を配信することができるため、広告の宣伝効果を効率よく高めることもできる。
【００４８】
（第二の実施の形態）
図１１は、本発明の第二の実施の形態における広告配信システム２０の内部構成を示すブロック図である。本実施の形態において、広告配信システム２０は、誘導処理部４４および地図情報記憶部４６をさらに含む点で第一の実施の形態における広告配信システム２０と異なる。本実施の形態において、第一の実施の形態と同様の構成要素には同様の符号を付し、適宜説明を省略する。
【００４９】
本実施の形態における広告配信システム２０は、閲覧可能エリアにいないユーザを誘導して閲覧可能エリアに移動させる機能を有する。地図情報記憶部４６は、エリア情報記憶部３２が情報を有する広告媒体が設置された位置を含めたその周辺の地図情報を記憶する。誘導処理部４４は、ユーザの位置情報に基づき、ユーザがいずれかの広告媒体の閲覧可能エリアにいない場合であっても、閲覧可能エリア付近にいることを検出すると、地図情報記憶部４６からユーザの現在位置および所望の閲覧可能エリアを含む地図情報を抽出し、その地図情報にユーザの現在位置および所望の閲覧可能エリアを示すマークを付した誘導地図を作成する。誘導処理部４４は、ユーザ情報記憶部３６および広告管理情報記憶部３８をも参照して、そのユーザが詳細情報の配信対象者となるような広告媒体を選択してその広告媒体の閲覧可能エリアを示すマークを付す。配信処理部２８は、誘導処理部４４が作成した誘導地図をユーザに配信する。
【００５０】
このようにすれば、ユーザが広告媒体の付近にいるときに、そのユーザを広告媒体が閲覧可能な位置まで誘導することができる。ユーザが広告媒体に興味を持って、閲覧可能エリアに一定時間以上いると、第一の実施の形態で説明したのと同様の手順により、ユーザにその広告の詳細情報が配信される。
【００５１】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００５２】
以上の実施の形態において、滞在目的判断部２６は、他目的情報記憶部３４を参照してユーザが他の目的を達成するのに必要とされる必要時間を参照してユーザの滞在目的を判断するとして説明したが、他の目的が、プラットホームやバス停で電車やバスを待つような場合、滞在目的判断部２６は、電車やバスの運行スケジュールを参照することにより、ユーザが広告媒体を見るためにある広告配信エリアに滞在しているのか否かを判断することもできる。
【００５３】
さらに、広告媒体自体、またはその周辺に、閲覧可能エリアについての説明を付すことができる。これにより、広告媒体を閲覧するユーザが詳細な情報を取得したい場合、ユーザ端末１０で自ら何らかの操作をするような煩雑な処理をすることなく、閲覧可能エリアに滞在するだけで、興味をもった広告の詳細情報を受け取ることができる。
【００５４】
【発明の効果】
本発明によれば、街頭に設置された広告媒体に興味を持った消費者にその広告に関する詳細な情報を配信することができる。
【図面の簡単な説明】
【図１】本発明の実施の形態におけるユーザ端末および広告配信システムの関係を示す図である。
【図２】本発明の実施の形態における広告配信システムの内部構成を示すブロック図である。
【図３】ユーザ位置情報記憶部のデータ構造の一例を示す図である。
【図４】エリア情報記憶部のデータ構造の一例を示す図である。
【図５】他目的情報記憶部のデータ構造の一例を示す図である。
【図６】ユーザ情報記憶部のデータ構造の一例を示す図である。
【図７】広告管理情報記憶部のデータ構造の一例を示す図である。
【図８】詳細情報記憶部のデータ構造の一例を示す図である。
【図９】ユーザに送信される詳細情報を示す図である。
【図１０】本発明の実施の形態における広告配信システムの処理手順を示すフローチャートである。
【図１１】本発明の実施の形態における広告配信システムの内部構成を示すブロック図である。
【符号の説明】
１０  ユーザ端末、  １２  ユーザ、  １４  広告媒体、  ２０  広告配信システム、  ２１  サーバ、  ２２  位置情報取得部、  ２４  滞在検出部、  ２６滞在目的判断部、  ２８  配信処理部、  ２９  データベース、  ３０  ユーザ位置情報記憶部、  ３２  エリア情報記憶部、  ３４  他目的情報記憶部、  ３６  ユーザ情報記憶部、  ３８  広告管理情報記憶部、  ４０  詳細情報記憶部、  ４２  配信記録記憶部、  ４４  誘導処理部、  ５０  インターネット。
【図１】
2004287296.tif 000003
【図２】
2004287296.tif 000004
【図３】
2004287296.tif 000005
【図４】
2004287296.tif 000006
【図５】
2004287296.tif 000007
【図６】
2004287296.tif 000008
【図７】
2004287296.tif 000009
【図８】
2004287296.tif 000010
【図９】
2004287296.tif 000011
【図１０】
2004287296.tif 000012
【図１１】
2004287296.tif 000013